(57)【要約】【課題】シート材からなる飲料用容器の口部を衛生的に保つことができ、しかも飲用時に余分なゴミの発生や容器本体の破損を抑制し得る飲料用容器の提供を一の課題とする。また、開封後に容器が傾倒しても、容器内にある飲料がこぼれにくいような飲料用容器の提供を他の課題とする。【解決手段】飲料を収容する胴部と、該胴部から突出した口部とがシート材で構成されてなる容器本体に、前記口部を覆うための被覆体が備えられてなる飲料用容器であって、該被覆体の一端には容器本体側へ折り返された折り返し部が形成され、該折り返し部が容器本体にシールされたものとする。また、該折り返し部が、容器本体の口部と胴部の間を該容器本体の表裏両面から挟むようにして構成され、さらに、該折り返し部の両端が一体となるように構成されたものとする。【選択図】          図１
2004238004.tif 000002
【特許請求の範囲】
【請求項１】
飲料を収容する胴部と、該胴部から突出した口部とがシート材で構成されてなる容器本体に、前記口部を覆うための被覆体が備えられてなる飲料用容器であって、
該被覆体の一端には容器本体側へ折り返された折り返し部を備え、該折り返し部が容器本体にシールされていることを特徴とする飲料用容器。
【請求項２】
容器本体にシールされた折り返し部が、該容器本体の口部と胴部の間を該容器本体の表裏両面から挟むようにして構成され、さらに、該折り返し部の両端が一体となるように構成されていることを特徴とする請求項１記載の飲料用容器。
【発明の詳細な説明】
【０００１】
【発明の属する技術分野】
本発明は、清涼飲料水やゼリー状の食品（本発明において、単に「飲料」ともいう）を収容するための飲料用容器に関する。
【０００２】
【従来の技術】
従来、飲料を収容するための容器として、例えば図８に示したようなものが知られている。該飲料用容器は、柔軟性のあるシート材で周囲がヒートシールされてなり、飲料を収容する胴部と該胴部から突出した口部とを備えてなる。そして、使用時には口部に設けられた切り欠きから開封することにより飲み口を形成し、該飲み口に口を添えるようにして飲料を食するように構成されている。
【０００３】
しかしながら、この種の飲料用容器は、飲み口を設けるための口部が露出した状態で店頭に陳列されるものであるため、複数の消費者の手に触れられるなど、衛生上問題となる場合もある。
【０００４】
缶やペットボトルのような強度のある容器であれば、シュリンク包装などによって比較的容易に口部を覆うことは可能であるが、柔軟性のあるこの種の容器にシュリンク包装を行うことは困難である。また、容器全体を別の袋に収容することも可能であるが、そのような別の袋を使用すれば過剰包装となり、また、ゴミの減量化という社会的な要請に反することとなる。
【０００５】
従来、上記問題を解決するため、図６に示す如く容器本体を構成する一対のシート材１０１、１０１の上部を外側へそれぞれ２回折り返し、折り返された最も外側の部分１０２、１０２によって内側に形成した口部１０３を覆うように構成した飲料用容器１００が開示されている（特許文献１）。
【０００６】
また、図７に示す如く、胴部１２１から突出するようにして形成された口部１２２に、該口部１２２よりも大寸の保護片を対向させてなる保護フィルム１３０を被せ、該保護フィルム１３０同士が直接相対する部分を剥離可能に張り合わせることにより、前記口部１２２を覆った状態で該保護フィルム１３０を固定した飲料用容器１２０が開示されている（特許文献２）。
【０００７】
【特許文献１】
特開２００２−２９３３３７号公報
【特許文献２】
特開２００１−１９２０４４号公報
【０００８】
【発明が解決しようとする課題】
しかしながら、前記特許文献１記載のような飲料用容器１００では、シート材１０１が３重となるように折り返して被覆部１０２を形成しなければならす、製造工程が煩雑であるという問題がある。
【０００９】
また、特許文献１および２記載のいずれの飲料用容器でも、口部を露出させるべく保護フィルムを開封する際に、該保護フィルムの一部を切除したり、あるいは保護フィルム自体を取り外すといった必要があるため、余分なゴミが発生しやすいという問題がある。
【００１０】
一方、前記特許文献２記載のような飲料用容器１２０において、容器本体の上に重なるようにして保護フィルムのシール部分を設ける方法も考えられるが、該シート材を単に容器本体と重ねるようにしてシールするだけでは、開封の際に保護フィルムのみならず誤って容器本体をも破損させてしまう虞がある。
【００１１】
ところで、この種の飲料用容器は、容器本体が柔軟性のあるシート材で構成されるものであるが、近年、店頭での商品陳列効果を考慮して、いわゆるスタンディングパウチ形式（自立型）のものが採用される傾向にある。そうすると、これを購入した消費者も、開封後の飲用途中にこの飲料用容器を立てた状態で放置することが多くなるが、スタンディングパウチ形式の容器とは言え柔軟性のシート材で構成されたこの種の飲料用容器はバランスを崩しやすく、倒れやすい傾向にあるため、かえって飲料をこぼす結果となりやすい。
【００１２】
そこで本発明は、シート材からなる飲料用容器の口部を衛生的に保つことができ、しかも飲用時に余分なゴミの発生や容器本体の破損を抑制し得る飲料用容器の提供を一の課題とする。
また、開封後に容器が傾倒しても、容器内にある飲料がこぼれにくいような飲料用容器の提供を他の課題とする。
【００１３】
【課題を解決するための手段】
前記課題を解決すべく、本発明の飲料用容器は、飲料を収容する胴部と、該胴部から突出した口部とがシート材で構成されてなる容器本体に、前記口部を覆うための被覆体が備えられてなる飲料用容器であって、該被覆体の一端には容器本体側へ折り返された折り返し部が形成され、該折り返し部が容器本体にシールされていることを特徴とする。
【００１４】
好ましくは、容器本体にシールされた折り返し部が、容器本体の口部と胴部の間を該容器本体の表裏両面から挟むようにして構成され、さらに、該折り返し部の両端が一体となるように構成されたものとし得る。
【００１５】
【発明の実施の形態】
図１〜４を参照しつつ本発明の実施の形態について説明する。図１に示した一実施形態の飲料用容器１は、飲料を収容するための容器本体２と、該容器本体２の口部２ａを被覆するための被覆体３とから構成されたものである。容器本体２は、前面と背面を構成する柔軟なシート材４，５と、底面となる位置に折り込まれた柔軟なシート材６とからなり、相対する個々のシート材４、５、６の周囲がシールされることにより、自立性の容器本体として構成されたものである。
尚、図１および図３において、斜線部はシールされた部分を示している。
【００１６】
容器本体２は、飲料を収容するための胴部２ｂと、該胴部２ｂを構成するシート材４、５が上方へ突出するようにして形成された口部２ａとを備えて構成されている。容器本体２の胴部２ｂは、所定量の飲料を収容し得る大きさを有するものであり、口部２ａは、直接口をつけて飲むことが容易となるように、口に含むことのできる大きさに形成されている。
また、該口部２ａの先には、両側のシール部に切り欠き部１２、１２が形成されており、該切り欠き部１２から口部２ａの先端を引き裂くことによって飲み口を形成し得るように構成されている。
【００１７】
一方、被覆体３は、容器本体２の口部２ａよりも大きな２枚のシート片７、８からなるものである。図２に示す如く、該シート片７、８の下端には、容器本体２の口部２ａに向かってそれぞれ上方へ折り返された折り返し部７ａ、８ａが形成されており、その折り返し部７ａ、８ａが対向して容器本体２を表裏両側から挟むようにして強固にシールされている。また、折り返し部７ａ、８ａの両端は容器本体２の胴部上端のシール部に達しており、容器本体のシール部と重複するようにしてシールされることによって一体となっている。
【００１８】
そして、該シート片７、８の他の周縁部が該折り返し部よりも弱い接着力でシールされることにより、該被覆体３は、前記口部２ａを覆うように容器本体２に取り付けられている。
【００１９】
また、本実施形態では、被覆体３の上端シール部の上方にはさらにシート片７、８が延設されており、該シールを剥がすために把持される一対の把持片１０、１１が形成されている。よって、該被覆体３には、把持部１０、１１と折り返し部７ａ、８ａとが反対側に位置した状態となっている。
【００２０】
斯かる構成の飲料用容器によれば、被覆体３によって容器本体２の口部２ｂが開封時まで衛生的に保たれるとととなる。そして、飲用時には、被覆体３の上部に形成された一対の把持片１０、１１を摘んで引き裂くことにより、被覆体３の周縁シール部を下方へ向かって引き剥がせば、口部２ｂを速やかに露出させることができる。そして、本実施形態の被覆体３では、把持部１０、１１と反対側に折り返し部７ａ、８ａが形成されているため、最終的には該折り返し部に到達するまで引き剥がすこととなる。
【００２１】
そして、本実施形態の被覆体３によれば、シート片７、８の下端の折り返し部７ａ、８ａが他のシール部よりも強固にシールされているため、使用者はそれ以上引き剥すことができず、被覆体３が口部２ｂを露出させた後も容器本体２から分離することがない。よって、該被覆体３が容器本体２から分離して余分なゴミを発生させることがないという効果がある。
【００２２】
また、シート片下端の折り返し部７ａ、８ａが、容器本体２の口部２ｂに向かってそれぞれ上方へ折り返された状態でシールされているため、使用者に、被覆体３が、その折り返し部７ａ、８ａで終了していることを容易に認識させるという視覚的な効果もあり、使用者が誤って容器本体２まで破損させるといった事故を防止できる。
【００２３】
さらに、口部２ｂを露出させた後の被覆体３は、図３および４に示す如く、折り返し部７ａ、８ａが口部２ａと胴部２ｂとの間において相対し、容器本体２を表裏両面から挟んだ状態となり、且つ、引き剥がされた被覆体３の他の部分は、容器本体２の表裏両面からそれぞれ離間する方向に折れ曲がった状態となる。
【００２４】
このように、折れ曲がった被覆体３（即ち、シート片７、８）は、容器本体２と平行ではなく、ある程度の角度を成しており、しかも折り返し部７ａ、８ａの両端は容器本体２のシール部に重複するようにシールされて一体となっているため、容器本体２のシール部に達していない（即ち、一体となっていない）折り返し部７ａ、８ａの中央部は、折れ曲がった形状が保持され易いものとなる。
こうして、容器本体２の口部２ａと胴部２ｂとの間には、容器本体２を構成するシート材４，５がシート面と垂直方向に膨らもうとするのを抑制する規制領域２０が形成されることとなり、その結果、飲料の流通が規制されることとなる。
【００２５】
よって、口部を開封した後、飲料が入った状態で自立させておいた該飲料用容器１が傾倒した場合にも、斯かる規制領域２０によって飲料の流通が規制されることとなるため、飲料が溢れ出す量を最小限に抑えることができる。
【００２６】
しかも、飲用時においては、収容された飲料が該規制領域２０によって適度な量に規制されつつ容器から排出されることとなり、誤って力を入れて飲料が多量に噴出させるようなことを防止し得る。また、必要に応じて胴部２ｂを手で圧迫することにより、流量を調節することもできる。
【００２７】
また、本実施形態に於いては、被覆体３の折り返し部７ａ、８ａが胴部２ｂから狭くなった口部２ａの起端部にシールされているため、胴部２ａの上端では口部２ｂへ至る飲料の流路が狭くなっていることと相俟って、飲料の流通をより効果的に規制することができる。
【００２８】
尚、上記実施形態では、被覆体の折り返し部の両端が、胴部上端のシール部に重複するようにシールされている場合について説明したが、本発明はこれに限定されるものではない。即ち、該折り返し部の両端がシールされて一体となっていれば、一体となっていない折り返し部７ａ、８ａの中央では、折れ曲がった形状が保持され易くなり、収容された飲料の流通を規制するような規制領域２０を形成することができる。
【００２９】
また、上記実施形態では、容器本体全体が柔軟なシート材で構成されている場合について説明したが、本発明はこれに限定されず、容器本体の一部にプラスチックなどの強度のある部材が使用されたものであっても良い。
また、自立性のある飲料用容器について説明したが、本発明はこれに限定されるものではない。
【００３０】
また、上記実施形態では、胴部２ｂよりも幅狭であるような被覆体を備えたものについて説明したが、本発明はこれに限定されるものではなく、胴部や口部の大きさ、および被覆体の大きさは、用途に応じて適宜変更することができる。
従って、例えば図５に示す如く、胴部と同じ幅の被覆体とすることも可能である。
【００３１】
【発明の効果】
以上のように、本発明に係る飲料用容器によれば、被覆体によって飲料用容器の口部が衛生的に保たれており、また、被覆体の一端には容器本体側へ折り返され且つ容器本体にシールされた折り返し部が形成されているため、飲用時に余分なゴミを発生させたり容器本体を破損させたりすることがない。
【００３２】
また、容器本体にシールされた折り返し部が、容器本体の口部と胴部の間を該容器本体の表裏両面から挟むようにして構成され、さらに、該折り返し部の両端が一体となるように構成されていれば、開封後に容器が傾倒した場合にも、容器内にある飲料がこぼれにくいものとなる。
【図面の簡単な説明】
【図１】本発明の飲料用容器の一実施形態において、被覆体を開封する前の状態を示した正面図である。
【図２】図１のＩＩ−ＩＩ線断面図である。
【図３】本発明の飲料用容器の一実施形態において、被覆体を開封した後の状態を示した正面図である。
【図４】図３のＩＶ−ＩＶ線断面図である。
【図５】本発明の飲料用容器の他の実施形態を示した正面図である。
【図６】被覆体を備えた従来の飲料用容器の一例を示した正面図である。
【図７】被覆体を備えた従来の飲料用容器の他の一例を示した斜視図である。
【図８】被覆体のない従来の飲料用容器の一例を示した正面図である。
【符号の説明】
１            飲料用容器
２            容器本体
２ａ          口部
２ｂ          胴部
３            被覆体
７ａ、８ａ    折り返し部
【図１】
2004238004.tif 000003
【図２】
2004238004.tif 000004
【図３】
2004238004.tif 000005
【図４】
2004238004.tif 000006
【図５】
2004238004.tif 000007
【図６】
2004238004.tif 000008
【図７】
2004238004.tif 000009
【図８】
2004238004.tif 000010